(57)【特許請求の範囲】
【請求項１】
モバイル端末、画像形成装置、管理サーバーを有し、
前記モバイル端末は、
ネットワークに接続するネットワーク通信手段と、
Ｗｅｂサイトを表示するＷｅｂサイト表示手段と
を備え、
前記画像形成装置は、
前記モバイル端末からの要求を実行する制御手段と、
前記モバイル端末の要求を実行したときのユーザー使用情報を収集するユーザー使用情報収集手段と、
前記ユーザー使用情報を前記管理サーバーに送信するユーザー使用情報送信手段と
を備え、
前記管理サーバーは、
前記ユーザー使用情報を前記画像形成装置から受信するユーザー使用情報受信手段
を備え、
前記Ｗｅｂサイトは、前記モバイル端末がアクセスしたアクセスポイントにより異なり、
前記モバイル端末は、
前記Ｗｅｂサイトからダウンロードしたモバイルアプリケーションを実行するモバイルアプリケーション実行手段を備え、
前記Ｗｅｂサイトからダウンロードする前記モバイルアプリケーションは、前記Ｗｅｂサイトにより異なり、
前記モバイルアプリケーションは、前記アクセスポイントが設置されている部屋ＩＤ、前記画像形成装置のＩＰアドレスを保持していることを特徴とするユーザー識別無線通信システム。
【請求項２】
前記モバイルアプリケーションは、前記モバイル端末からの要求を前記ＩＰアドレスの前記画像形成装置に送信することを特徴とする請求項１に記載のユーザー識別無線通信システム。
【請求項３】
前記モバイルアプリケーションは、前記画像形成装置の操作メニューを保持し、前記モバイルアプリケーション実行手段が前記モバイルアプリケーションを実行すると、前記操作メニューを前記モバイル端末に表示することを特徴とする請求項１又は２に記載のユーザー識別無線通信システム。
【請求項４】
前記管理サーバーは、
操作パネルを備え、
前記ユーザー使用情報受信手段により受信した前記ユーザー使用情報の前記部屋ＩＤによりユーザー氏名、ユーザーの部屋番号、前記モバイル端末が要求した前記画像形成装置の名称を前記操作パネルに表示することを特徴とする請求項１から請求項３のいずれか１項に記載のユーザー識別無線通信システム。
【請求項５】
前記管理サーバーは、
前記ユーザー使用情報受信手段により受信した前記ユーザー使用情報からユーザー使用料金を計算するユーザー使用料金計算手段を備えることを特徴とする請求項１から請求項４のいずれか１項に記載のユーザー識別無線通信システム。
【請求項６】
前記モバイル端末からの要求が印刷要求であるときに、画像を印刷するコピー用紙に前記部屋ＩＤを印刷することを特徴とする請求項１から請求項５のいずれか１項に記載のユーザー識別無線通信システム。
【請求項７】
前記モバイル端末からの要求を受信した前記画像形成装置は前記部屋ＩＤを表示することを特徴とする請求項１から請求項６のいずれか１項に記載のユーザー識別無線通信システム。
【発明の詳細な説明】
【技術分野】
【０００１】
本発明は、無線通信システムに係り、特に無線通信でネットワークに接続するときにユーザーを識別するユーザー識別無線通信システムに関する。
【背景技術】
【０００２】
携帯パソコン、スマートフォン、またはタブレット端末など（以下、「モバイル端末」という）は、無線通信によりネットワークに接続することが可能である。しかし、モバイル端末をネットワークに接続するためには、ネットワークに接続するための情報をユーザーがモバイル端末に設定しなければならない。また、エリアや場所により使用できるネットワークが異なるので、ユーザーが移動したエリアや場所でネットワークに接続するためには、ユーザーはそのエリアや場所のネットワークを確認し、そのネットワークのネットワーク情報をモバイル端末に設定しなければならない。このため、ネットワーク情報を容易に設定できるようにする方法が提供されている。例えば、特許文献１に記載されている通信システム及び通信制御方法は、ユーザーが端末装置から地域または位置情報を入力し、端末装置が地域または位置情報から変換したネットワーク情報を通信装置が入力することで、端末装置から通信装置にネットワーク情報を容易に設定できるようにしている。
【先行技術文献】
【特許文献】
【０００３】
【特許文献１】特開２０１０−５３９７８１号公報
【発明の概要】
【発明が解決しようとする課題】
【０００４】
しかし、特許文献１の通信システム及び通信制御方法では、ユーザーは端末装置から地域または位置情報を端末装置から入力しなければならないので、ユーザーの手間がかかるという問題があった。
【０００５】
本発明はこのような状況に鑑みてなされたものであり、上記課題を解決できるユーザー識別無線通信システムを提供することを目的とする。
【課題を解決するための手段】
【０００６】
本発明のユーザー識別無線通信システムは、モバイル端末、画像形成装置、管理サーバーを有し、前記モバイル端末は、ネットワークに接続するネットワーク通信手段と、Ｗｅｂサイトを表示するＷｅｂサイト表示手段とを備え、前記画像形成装置は、前記モバイル端末からの要求を実行する制御手段と、前記モバイル端末の要求を実行したときのユーザー使用情報を収集するユーザー使用情報収集手段と、前記ユーザー使用情報を前記管理サーバーに送信するユーザー使用情報送信手段とを備え、前記管理サーバーは、前記ユーザー使用情報を前記画像形成装置から受信するユーザー使用情報受信手段を備え、前記Ｗｅｂサイトは、前記モバイル端末がアクセスしたアクセスポイントにより異なり、前記モバイル端末は、前記Ｗｅｂサイトからダウンロードしたモバイルアプリケーションを実行するモバイルアプリケーション実行手段を備え、前記Ｗｅｂサイトからダウンロードする前記モバイルアプリケーションは、前記Ｗｅｂサイトにより異なり、前記モバイルアプリケーションは、前記アクセスポイントが設置されている部屋ＩＤ、前記画像形成装置のＩＰアドレスを保持していることを特徴としている。
また、本発明のユーザー識別無線通信システムの前記モバイルアプリケーションは、前記モバイル端末からの要求を前記ＩＰアドレスの前記画像形成装置に送信することを特徴としている。
また、本発明のユーザー識別無線通信システムの前記モバイルアプリケーションは、前記画像形成装置の操作メニューを保持し、前記モバイルアプリケーション実行手段が前記モバイルアプリケーションを実行すると、前記操作メニューを前記モバイル端末に表示することを特徴としている。
また、本発明のユーザー識別無線通信システムの前記管理サーバーは、操作パネルを備え、前記ユーザー使用情報受信手段により受信した前記ユーザー使用情報の前記部屋ＩＤによりユーザー氏名、ユーザーの部屋番号、前記モバイル端末が要求した前記画像形成装置の名称を前記操作パネルに表示することを特徴としている。
また、本発明のユーザー識別無線通信システムの前記管理サーバーは、前記ユーザー使用情報受信手段により受信した前記ユーザー使用情報からユーザー使用料金を計算するユーザー使用料金計算手段を備えることを特徴としている。
また、本発明のユーザー識別無線通信システムは、前記モバイル端末からの要求が印刷要求であるときに、画像を印刷するコピー用紙に前記部屋ＩＤを印刷することを特徴としている。
また、本発明のユーザー識別無線通信システムは、前記モバイル端末からの要求を受信した前記画像形成装置は前記部屋ＩＤを表示することを特徴としている。
【発明の効果】
【０００７】
本発明のユーザー識別無線通信システムは、ユーザーが移動先のネットワークに容易に接続することができ、またネットワークに接続したユーザーを識別することができる。
【図面の簡単な説明】
【０００８】
【図１】本発明の実施形態に係るユーザー識別無線通信システムのシステム構成を示す図である。
【図２】図１に示すユーザー識別無線通信システムの画像形成装置、管理サーバー、及びモバイル端末の機能構成を示す図である。
【図３】本発明の実施形態に係るモバイル端末をホテルのネットワークに接続し、モバイル端末からホテルの画像形成装置に印刷要求を行う手順を示す図である。
【図４】本発明の実施形態に係る図３に示す手順の詳細な処理の流れを示すフローチャートである。
【発明を実施するための形態】
【０００９】
以下、本発明を実施するための形態（以下、「実施形態」という）を、図面を参照して説明する。実施形態のユーザー識別無線通信システムは、ユーザーが宿泊するホテルにおいて、ユーザーのモバイル端末を部屋に設置されているアクセスポイントからホテルのネットワークに接続する。また、ユーザーがホテルのネットワークに接続されている画像形成装置に印刷要求を行うと、印刷要求を行ったユーザーを識別し、更に、画像形成装置の使用料金をユーザー毎に計算するものである。
【００１０】
まず、本実施形態のユーザー識別無線通信システム１０のシステム構成について、図１を用いて説明する。図１に示すように、ユーザー識別無線通信システム１０は、複数の画像形成装置１００、管理サーバー２００、複数のモバイル端末３００、複数のアクセスポイント４００、Ｗｅｂサーバー５００、ネットワーク６００、ルーター７００、インターネット８００、及びアクセスポイント９００により構成されている。画像形成装置１００、管理サーバー２００、アクセスポイント４００、及びＷｅｂサーバー５００はネットワーク６００に接続され、ネットワーク６００はルーター７００を経由してインターネット８００に接続されている。
【００１１】
画像形成装置１００は、プリンター、多機能プリンター、多機能周辺装置、または複合機などのＭＦＰ（Ｍｕｌｔｉｆｕｎｃｔｉｏｎａｌ  Ｐｅｒｉｐｈｅｒａｌ）であり、近距離無線通信、ネットワーク６００、またはインターネット８００によりモバイル端末３００とデータの送受信を行うことができる。
【００１２】
管理サーバー２００は、ホテル専用のサーバーであり、ユーザーが画像形成装置１００を使用した時間、及び印刷したコピー用紙の枚数（以下、「コピー枚数」という）などの情報を画像形成装置１００から受信し、ユーザー毎に画像形成装置１００の使用料金を計算することができる。
【００１３】
モバイル端末３００は、携帯パソコン、スマートフォン、またはタブレット端末等であり、近距離無線通信、ネットワーク６００のアクセスポイント４００、またはインターネット８００のアクセスポイント９００により画像形成装置１００、及びＷｅｂサーバー５００とデータの送受信を行うことができる。
【００１４】
アクセスポイント４００は、ホテルの各部屋に設置されるＷｉＦｉ（ワイファイ）などの無線パーソナルエリアネットワーク（Wireless Personal Area Network：ＷＰＡＮ）のアクセスポイントである。アクセスポイント４００は、ネットワーク６００に接続され、無線通信によりアクセスポイント４００に対して接続要求を行っているモバイル端末３００をネットワーク６００に接続する。
【００１５】
ネットワーク６００は、ＬＡＮ（Local Area Network）などのネットワーク(イントラネット等)であり、複数の画像形成装置１００、管理サーバー２００、複数のアクセスポイント４００、及びＷｅｂサーバー５００が接続されている。
【００１６】
ルーター７００は、ネットワーク６００に接続され、ネットワーク６００をインターネット８００に接続する。
【００１７】
インターネット８００は、インターネットやイントラネット等のＩＰネットワークであり、複数のモバイル端末３００がアクセスポイント９００を経由して接続する。
【００１８】
次に、ユーザー識別無線通信システム１０の画像形成装置１００、管理サーバー２００、及びモバイル端末３００の機能構成について、図２を用いて説明する。図２に示す画像形成装置１００とモバイル端末３００は、図１に示すユーザー識別無線通信システム１０における１台の画像形成装置１００と、アクセスポイント４００に接続されている１台のモバイル端末３００の機能構成を示しているが、他の画像形成装置１００、他のモバイル端末３００についても同様の機能構成である。
【００１９】
まず、画像形成装置１００の機能構成について、図２を用いて説明する。図２に示す画像形成装置１００は、制御部１１０（制御手段）、メモリー部１２０、データ記憶部１３０、操作パネル１４０、操作パネル処理部１５０、原稿読取部１６０、画像処理部１７０、印刷部１８０、近距離無線通信部１９１、及びネットワーク通信部１９２を備え、これら各部はバスなどにより接続される構成となっている。制御部１１０には、ユーザー使用情報収集処理部１１０ａ(ユーザー使用情報収集手段)とユーザー使用情報送信処理部１１０ｂ（ユーザー使用情報送信手段）が設けられている。メモリー部１２０には、ユーザー使用情報記憶エリア１２０ａが設けられている。データ記憶部１３０には、画像データ記憶エリア１３０ａが設けられている。
【００２０】
制御部１１０は、ＲＡＭやＲＯＭ等の主記憶手段、及びＣＰＵ(Central Processing Unit)等の制御手段を備えている。また、制御部１１０は、各種Ｉ／Ｏや、ＵＳＢ（ユニバーサル・シリアル・バス）等のインターフェイス、バスコントローラー等を含む総合的な画像形成装置１００の制御を行う。
ユーザー使用情報収集処理部１１０ａは、ユーザーが画像形成装置１００を使用すると、ユーザーが画像形成装置１００を使用する度に使用時間とコピー枚数などの情報を収集し、ユーザー使用情報記憶エリア１２０ａに記憶する。
ユーザー使用情報送信処理部１１０ｂは、ユーザー使用情報記憶エリア１２０ａに記憶されたユーザー使用情報を取り出し、管理サーバー２００に送信する。
【００２１】
メモリー部１２０は、フラッシュメモリー等の補助記憶装置で、制御部１１０が実行する処理のプログラムやデータを記憶する。
ユーザー使用情報記憶エリア１２０ａは、ユーザー使用情報収集処理部１１０ａが収集したユーザー使用情報をユーザーが画像形成装置１００を使用する度に記憶する。
【００２２】
データ記憶部１３０は、データやプログラムを記憶するハードディスクドライブである。
画像データ記憶エリア１３０ａは、原稿読取部１６０が読み取り画像処理部１７０により処理された原稿の画像、ネットワーク通信部１９２を経由してモバイル端末３００から受信した画像を記憶する。
【００２３】
操作パネル１４０は、操作画面の表示、画像の表示、ユーザーによる操作受け付けを行う液晶パネルである。
【００２４】
操作パネル処理部１５０は、画像形成装置１００が備えている機能に対する操作項目を操作パネル１４０に表示する処理、画像を操作パネル１４０に表示する処理、または操作パネル１４０からユーザーの操作を入力する処理を行う。
【００２５】
原稿読取部１６０は、ユーザーが操作パネル１４０から読み取り操作を行うと、画像形成装置１００の原稿台にセットされた原稿の読み取りを行い、読み取った原稿の画像を画像処理部１７０に出力する。
【００２６】
画像処理部１７０は、原稿読取部１６０から画像を入力すると、印刷可能な画像イメージやＦＡＸやメールで送信可能なイメージの画像に変換して画像データ記憶エリア１３０ａに記憶する。
【００２７】
印刷部１８０は、印刷要求のあった画像を入力し、コピー用紙などに印刷する。
【００２８】
近距離無線通信部１９１は、近距離無線通信規格であるBluetooth（登録商標）や赤外線通信により、モバイル端末３００と近距離で無線通信を行う。
【００２９】
ネットワーク通信部１９２は、着脱可能なＬＡＮインターフェイスを備え、ネットワーク６００に接続する。ＬＡＮインターフェイスには、ＴＣＰ／ＩＰ、ＡｐｐｌｅＴａｌｋ、ＳＭＢ等の各種ネットワークプロトコルのインテリジェントな送受信を行うネットワーク部を含んでいる。
【００３０】
次に、管理サーバー２００の機能構成について、図２を用いて説明する。図２に示すように管理サーバー２００は、制御部２１０、メモリー部２２０、データ記憶部２３０、ネットワーク通信部２４０、操作パネル２５０、及び操作パネル処理部２６０を備え、これら各部はバスなどにより接続される構成となっている。制御部２１０には、ユーザー使用情報受信処理部２１０ａ(ユーザー使用情報受信手段)、及びユーザー使用料金計算処理部２１０ｂ(ユーザー使用料金計算手段)が設けられている。メモリー部２２０には、ユーザー使用情報記憶エリア２２０ａとユーザー使用料金記憶エリア２２０ｂが設けられている。データ記憶部２３０には、ユーザー宿泊情報記憶エリア２３０ａが設けられている。
【００３１】
制御部２１０は、ＲＡＭやＲＯＭ等の主記憶手段、及びＣＰＵ(Central Processing Unit)等の制御手段を備えている。また、制御部２１０は、各種Ｉ／Ｏや、ＵＳＢ（ユニバーサル・シリアル・バス）等のインターフェイス、バスコントローラー等を含む総合的な管理サーバー２００のコントロールを行う。
ユーザー使用情報受信処理部２１０ａは、画像形成装置１００からユーザー使用情報を受信し、ユーザー使用情報記憶エリア２２０ａに記憶する。
ユーザー使用料金計算処理部２１０ｂは、ユーザー使用情報の使用時間とコピー枚数などにより、ユーザー毎の使用料金を計算する。
【００３２】
メモリー部２２０は、フラッシュメモリー等の補助記憶装置で、制御部２１０が実行する処理のプログラムやデータを記憶する。
ユーザー使用情報記憶エリア２２０ａは、画像形成装置１００から受信するユーザー使用情報を記憶する。
ユーザー使用料金記憶エリア２２０ｂは、ユーザー使用料金計算処理部２１０ｂが計算したユーザー使用料金を記憶する。
【００３３】
データ記憶部２３０は、データやプログラムを記憶するハードディスクドライブである。
ユーザー宿泊情報記憶エリア２３０ａは、宿泊しているユーザーの氏名や住所、ユーザーが宿泊している部屋ＩＤ、部屋番号、及び宿泊期間などのユーザーの宿泊に関する情報をユーザー毎に記憶する。
【００３４】
ネットワーク通信部２４０は、着脱可能なＬＡＮインターフェイスを備え、ネットワーク６００に接続する。ＬＡＮインターフェイスには、ＴＣＰ／ＩＰ、ＡｐｐｌｅＴａｌｋ、ＳＭＢ等の各種ネットワークプロトコルのインテリジェントな送受信を行うネットワーク部を含んでいる。
【００３５】
操作パネル２５０は、操作画面の表示、ユーザーによる操作受け付けを行う液晶パネルである。
【００３６】
操作パネル処理部２６０は、管理サーバー２００が備えている機能に対する操作項目を操作パネル２５０に表示する処理、ユーザー使用情報、ユーザー使用料金、及びユーザーの宿泊に関する情報などを操作パネル２５０に表示する処理、または操作パネル２５０からユーザーの操作を入力する処理を行う。
【００３７】
次に、モバイル端末３００の機能構成について、図２を用いて説明する。図２に示すモバイル端末３００は、制御部３１０、メモリー部３２０、近距離無線通信部３３０、操作パネル３４０、操作パネル処理部３５０（Ｗｅｂサイト表示手段）、及びネットワーク通信部３６０（ネットワーク通信手段）を備え、これら各部はバスなどにより接続される構成となっている。制御部３１０には、モバイルアプリケーション実行処理部３１０ａ（モバイルアプリケーション実行手段）が設けられている。メモリー部３２０には、モバイルアプリケーション記憶エリア３２０ａが設けられている。
【００３８】
制御部３１０は、ＲＡＭやＲＯＭ等の主記憶手段、及びＣＰＵ(Central Processing Unit)等の制御手段を備えている。また、制御部３１０は、各種Ｉ／Ｏや、ＵＳＢ（ユニバーサル・シリアル・バス）等のインターフェイス、バスコントローラー等を含む総合的なモバイル端末３００のコントロールを行う。
モバイルアプリケーション実行処理部３１０ａは、Ｗｅｂサーバー５００のサイトや他のサイトからダウンロードしたモバイル端末で動作するモバイルアプリケーションを実行する。
【００３９】
メモリー部３２０は、フラッシュメモリー等の補助記憶装置で、制御部３１０が実行する処理のプログラムやデータを記憶する。
モバイルアプリケーション記憶エリア３２０ａは、Ｗｅｂサーバー５００のサイトや他のサイトからダウンロードしたモバイルアプリケーションのプログラムを記憶する。
【００４０】
近距離無線通信部３３０は、近距離無線通信規格であるBluetooth（登録商標）や赤外線通信により、画像形成装置１００と近距離で無線通信を行う。
【００４１】
操作パネル３４０は、操作画面の表示、画像の表示、ユーザーによる操作受け付けを行う液晶パネルである。
【００４２】
操作パネル処理部３５０は、モバイル端末３００が備えている機能に対する操作項目を操作パネル３４０に表示する処理、画像を操作パネル３４０に表示する処理、または操作パネル３４０からユーザーの操作を入力する処理を行う。
【００４３】
ネットワーク通信部３６０は、着脱可能なＬＡＮインターフェイスを備え、アクセスポイント４００を介してネットワーク６００に接続する。ＬＡＮインターフェイスには、ＴＣＰ／ＩＰ、ＡｐｐｌｅＴａｌｋ、ＳＭＢ等の各種ネットワークプロトコルのインテリジェントな送受信を行うネットワーク部を含んでいる。
【００４４】
次に、モバイル端末３００をホテルのネットワーク６００に接続し、モバイル端末３００からホテルの画像形成装置１００に印刷要求を行う手順について、図３を用いて説明する。
【００４５】
まず、図３（１）に示すように、ユーザーが自身が宿泊している部屋に設置されているアクセスポイント４００にモバイル端末３００を近づけると、モバイル端末３００は、ネットワーク６００を経由してホテルのＷｅｂサーバー５００と接続する。
【００４６】
次いで、図３（２）に示すように、モバイル端末３００にユーザーが宿泊しているホテルの部屋専用のＷｅｂサイト（以下、「ホテルルームＷｅｂサイト」という）が表示される。例えば、ユーザーがＡホテルのＢ号室に宿泊しているときには、ＡホテルのＢ号室のホテルルームＷｅｂサイトがモバイル端末３００に表示される。Ｗｅｂサーバー５００は、アクセスポイント４００からどの部屋のモバイル端末３００と接続したかを判断できるので、ユーザーが部屋の番号などを入力することなく、部屋専用のホテルルームＷｅｂサイトをモバイル端末３００に表示できる。
【００４７】
次いで、図３（３）に示すように、ユーザーがホテルルームＷｅｂサイトからモバイルアプリケーションのダウンロード操作を行うと、モバイル端末３００からモバイルアプリケーションのダウンロード要求がＷｅｂサーバー５００に送信される。Ｗｅｂサーバー５００は、モバイルアプリケーションのダウンロード要求を受信すると、モバイルアプリケーションをモバイル端末３００にダウンロード要求する。モバイルアプリケーションは、部屋の識別情報（以下、「部屋ＩＤ」という）、部屋に宿泊しているユーザーが使用できる画像形成装置１００のＩＰアドレス、及び画像形成装置１００の操作メニューなどを保持しているプログラムである。ユーザーがモバイル端末３００に表示されたホテルルームＷｅｂサイトからモバイルアプリケーションのダウンロード操作を行うことで、ユーザーが部屋の番号などを入力することなく、その部屋専用のモバイルアプリケーションがモバイル端末３００にダウンロードされる。
【００４８】
次いで、ユーザーがモバイルアプリケーションを起動すると、モバイル端末３００に画像形成装置１００の操作メニューが表示される。次いで、図３（４）に示すように、ユーザーが操作メニューから印刷要求の操作を行うと、モバイル端末３００のモバイルアプリケーションは、ユーザーが指定した画像と部屋ＩＤとを格納した印刷要求通知をユーザーが使用できる画像形成装置１００のＩＰアドレス宛てに送信する。
【００４９】
次いで、画像形成装置１００が印刷要求通知を受信すると、画像の印刷を開始する。また、図３（５）に示すように、画像形成装置１００は、印刷要求通知に格納されていた部屋ＩＤ、及び画像形成装置１００の使用時間とコピー枚数などのユーザー使用情報を管理サーバー２００に送信すると、管理サーバー２００は、ユーザー使用情報を受信する。また、管理サーバー２００は、ユーザー使用情報の部屋ＩＤからユーザー宿泊情報記憶エリア２３０ａに記憶されている部屋ＩＤに対応するユーザーの氏名と部屋番号を取り出して表示する。
【００５０】
次いで、ホテルの接客担当は、図３（６）に示すように、画像形成装置１００が印刷した印刷物を取り出すと、管理サーバー２００に表示された部屋番号の部屋に印刷物を届けることができる。
【００５１】
次に、モバイル端末３００をホテルのネットワーク６００に接続し、モバイル端末３００からホテルの画像形成装置１００に印刷要求を行う手順について、図４のフローチャートを用いて更に詳しく説明する。
【００５２】
（ステップＳ１０１）
まず、ユーザーが、自身が宿泊している部屋に設置されているアクセスポイント４００にモバイル端末３００を近づけると、アクセスポイント４００は、モバイル端末３００とＷｅｂサーバー５００を接続する。
【００５３】
（ステップＳ１０２）
次いで、Ｗｅｂサーバー５００がモバイル端末３００と接続したことを検出すると、アクセスポイント４００からどの部屋のモバイル端末３００と接続したかを判断し、その部屋専用のホテルルームＷｅｂサイトデータをモバイル端末３００に送信する。モバイル端末３００は、部屋専用のホテルルームＷｅｂサイトデータを受信すると、操作パネル３４０に部屋専用のホテルルームＷｅｂサイトを表示する。
【００５４】
（ステップＳ１０３）
次いで、ユーザーがホテルルームＷｅｂサイトからモバイルアプリケーションのダウンロード操作を行うと、モバイル端末３００からモバイルアプリケーションのダウンロード要求がＷｅｂサーバー５００に送信される。
【００５５】
（ステップＳ１０４）
次いで、Ｗｅｂサーバー５００は、モバイルアプリケーションのダウンロード要求を送信すると、モバイルアプリケーションをモバイル端末３００にダウンロードさせる。なお、ダウンロードされたモバイルアプリケーションは、モバイル端末３００のモバイルアプリケーション記憶エリア３２０ａに記憶される。
【００５６】
（ステップＳ１０５）
次いで、ユーザーがＷｅｂサーバー５００のモバイルアプリケーションのダウンロードが完了したことを確認して、操作パネル３４０からモバイルアプリケーションを起動すると、操作パネル処理部１５０は、画像形成装置１００の操作メニューを操作パネル３４０に表示する。
【００５７】
（ステップＳ１０６）
次いで、ユーザーが画像形成装置１００の操作メニュー印刷要求の操作を行うと、モバイル端末３００のモバイルアプリケーションは、ユーザーが指定した画像と部屋ＩＤとを格納した印刷要求通知を画像形成装置１００に送信する。なお、印刷要求通知が送信される画像形成装置１００は、モバイルアプリケーションが保持しているＩＰアドレスの画像形成装置１００である。
【００５８】
（ステップＳ１０７）
次いで、画像形成装置１００が印刷要求通知を受信すると、制御部１１０が印刷要求通知を印刷部１８０に出力し、印刷部１８０が印刷要求通知に格納されている画像の印刷を開始する。
【００５９】
（ステップＳ１０８）
次いで、画像形成装置１００の制御部１１０が印刷部１８０の処理が終了したことを検出すると、制御部１１０がユーザー使用情報収集処理部１１０ａを起動する。
【００６０】
（ステップＳ１０９）
次いで、ユーザー使用情報収集処理部１１０ａは、印刷要求通知により画像形成装置１００が処理した時間やコピー枚数などのユーザー使用情報を収集し、ユーザー使用情報記憶エリア１２０ａに記憶する。
【００６１】
（ステップＳ１１０）
次いで、画像形成装置１００の制御部１１０がユーザー使用情報収集処理部１１０ａの処理が終了したことを検出すると、制御部１１０がユーザー使用情報送信処理部１１０ｂを起動する。
【００６２】
（ステップＳ１１１）
次いで、ユーザー使用情報送信処理部１１０ｂは、ユーザー使用情報記憶エリア１２０ａからユーザー使用情報を取り出し、管理サーバー２００に送信する。
【００６３】
（ステップＳ１１２）
次いで、管理サーバー２００のユーザー使用情報受信処理部２１０ａがユーザー使用情報を受信すると、ユーザー使用情報記憶エリア２２０ａに記憶する。また、管理サーバー２００は、ユーザー使用情報の部屋ＩＤからユーザー宿泊情報記憶エリア２３０ａに記憶されている部屋ＩＤに対応するユーザーの氏名と部屋番号を取り出し、ユーザーの氏名、部屋ＩＤ、及びユーザー使用情報の送信元である画像形成装置１００に付されている名称を操作パネル２５０に表示することで、ホテルの接客担当に通知する。
【００６４】
（ステップＳ１１３）
次いで、管理サーバー２００の制御部２１０がユーザー使用情報受信処理部２１０ａの処理が終了したことを検出すると、制御部２１０がユーザー使用料金計算処理部２１０ｂを起動する。
【００６５】
（ステップＳ１１４）
次いで、ユーザー使用料金計算処理部２１０ｂは、ユーザー使用情報記憶エリア２２０ａからユーザー使用情報を取り出し、ユーザー使用情報の部屋ＩＤに対応する部屋に宿泊しているユーザー毎にユーザー使用料金を計算する。計算したユーザー使用料金は、ユーザー使用料金記憶エリア２２０ｂに記憶しているユーザーの使用料金に加算する。なお、ユーザーが画像形成装置１００を使用していないときには、ユーザー使用料金記憶エリア２２０ｂのユーザーの使用料金には「０円」が記憶されている。例えば、ユーザーＫが画像形成装置１００を使用していないときには、ユーザー使用料金記憶エリア２２０ｂのユーザーＫの使用料金には「０円」が記憶され、ユーザーＫが画像形成装置１００を使用する度に、ユーザーＫの使用料金に使用料金が加算される。
【００６６】
（ステップＳ１１５）
次いで、ホテルの接客担当がステップＳ１１２で操作パネル２５０に表示されたユーザー使用情報を確認すると、印刷物を画像形成装置１００まで取りに行き、操作パネル２５０に表示されたユーザー使用情報の部屋ＩＤに対応する部屋に印刷物を届ける。
【００６７】
以上により、ユーザーがホテルの部屋の番号などを入力することなく、部屋に設置されているアクセスポイント４００にモバイル端末３００を近づけることで、モバイル端末３００がホテルルームＷｅｂサイトにアクセスでき、また部屋専用のモバイルアプリケーションをダウンロードできる。また、ダウンロードしたモバイルアプリケーションは部屋専用であり、部屋ＩＤ、部屋に宿泊しているユーザーが使用できる画像形成装置１００のＩＰアドレス、及び画像形成装置１００の操作メニューなどを保持しているので、ユーザーはこのモバイルアプリケーションを起動することで、ホテルの画像形成装置１００に対して要求を送信することができる。またユーザーがモバイル端末３００から画像形成装置１００に要求を送信すると、ユーザー使用情報がホテルの管理サーバー２００に自動的に送信される。ホテルの管理サーバー２００は、画像形成装置１００に要求を送信したユーザーの氏名、部屋番号、要求を受信した画像形成装置１００の名称を通知するので、ホテルの接客担当はこの通知を確認することで、どの部屋のユーザーがどの画像形成装置１００に要求を行ったかなどを容易に確認することができる。また、管理サーバー２００は、画像形成装置１００の使用料金を自動的に計算するので、ユーザーがチェックアウトするときに、使用料金を容易に確認することができる。また、画像形成装置１００をホテルの事務室などの宿泊客が立ち入ることができないエリアに設置することができるので、宿泊客などによる無断使用などを防止することができる。また、複数の画像形成装置１００を設置することができないときには、ホテルの従業員と宿泊客とが同じ画像形成装置１００を共有して使用することができる。
【００６８】
なお、実施形態においては、画像形成装置１００、管理サーバー２００、アクセスポイント４００、及びＷｅｂサーバー５００がネットワーク６００に接続されているユーザー識別無線通信システムを実施例としたが、これに限定されない。例えば、画像形成装置１００、管理サーバー２００、アクセスポイント４００、またはＷｅｂサーバー５００がインターネット８００に接続されている場合でも同様に実施することができる。
【００６９】
また、実施形態においては、モバイルアプリケーションによりモバイル端末３００からの印刷要求をネットワーク６００により画像形成装置１００に送信するが、これに限定されない。例えば、モバイル端末３００からの印刷要求を近距離無線通信により画像形成装置１００に送信することも可能である。
【００７０】
また、実施形態においては、モバイル端末３００から画像の印刷を画像形成装置１００に要求するが、これに限定されない。例えば、画像形成装置１００から他の画像形成装置１００に画像をＦＡＸ送信する要求を行う場合でも、同様に実施することができる。また、印刷やＦＡＸ送信に限らず、画像形成装置１００が出力する画像を他の装置に記憶するなどの要求を行う場合でも、同様に実施することができる。
【００７１】
また、実施形態においては、アクセスポイント４００がホテルの部屋に設置される実施例について説明したが、これに限定されない。例えば、会議室にアクセスポイント４００を設置し、会議室の複数のユーザーがその会議室専用のＷｅｂサイトからその会議室専用のモバイルアプリケーションをダウンロードし、会議室専用のモバイルアプリケーションを用いて画像形成装置１００に要求することができる。また、使用料金は、その会議室の複数のユーザーが画像形成装置１００を使用した料金の合計を計算することができる。
【００７２】
また、実施形態においては、管理サーバー２００がユーザーの氏名、部屋ＩＤ、及び画像形成装置１００の名称を操作パネル２５０に表示することで、ホテルの接客担当に通知するが、これに限定されない。例えば、画像形成装置１００がモバイル端末３００から印刷要求を受信したときに、画像を印刷するコピー用紙に部屋ＩＤも印刷する、または画像形成装置１００の操作パネル２５０に部屋ＩＤを表示することも可能である。
【００７３】
このような本発明のユーザー識別無線通信システムは、ユーザーが移動先のネットワークに容易に接続することができ、またネットワークに接続したユーザーを識別することができる。
【００７４】
以上、具体的な実施の形態により本発明を説明したが、上記実施の形態は本発明の例示であり、この実施の形態に限定されないことは言うまでもない。
【産業上の利用可能性】
【００７５】
本発明は、実施形態の無線通信システムに限られるものでなく、モバイル端末と接続が可能なシステム一般に適用できる。
【符号の説明】
【００７６】
１０・・・・・ユーザー識別無線通信システム
１００・・・・・画像形成装置
１１０・・・・・制御部
１１０ａ・・・・ユーザー使用情報収集処理部
１１０ｂ・・・・ユーザー使用情報送信処理部
１２０・・・・・メモリー部
１２０ａ・・・・ユーザー使用情報記憶エリア
１３０・・・・・データ記憶部
１３０ａ・・・・画像データ記憶エリア
１４０・・・・・操作パネル
１５０・・・・・操作パネル処理部
１６０・・・・・原稿読取部
１７０・・・・・画像処理部
１８０・・・・・印刷部
１９１・・・・・近距離無線通信部
１９２・・・・・ネットワーク通信部
２００・・・・・管理サーバー
２１０・・・・・制御部
２１０ａ・・・・ユーザー使用情報受信処理部
２１０ｂ・・・・ユーザー使用料金計算処理部
２２０・・・・・メモリー部
２２０ａ・・・・ユーザー使用情報記憶エリア
２２０ｂ・・・・ユーザー使用料金記憶エリア
２３０・・・・・データ記憶部
２３０ａ・・・・ユーザー宿泊情報記憶エリア
２４０・・・・・ネットワーク通信部
２５０・・・・・操作パネル
２６０・・・・・操作パネル処理部
３００・・・・・モバイル端末
３１０・・・・・制御部
３１０ａ・・・・モバイルアプリケーション実行処理部
３２０・・・・・メモリー部
３２０ａ・・・・モバイルアプリケーション記憶エリア
３３０・・・・・近距離無線通信部
３４０・・・・・操作パネル
３５０・・・・・操作パネル処理部
３６０・・・・・ネットワーク通信部
４００・・・・・アクセスポイント
５００・・・・・Ｗｅｂサーバー
６００・・・・・ネットワーク
７００・・・・・ルーター
８００・・・・・インターネット
９００・・・・・アクセスポイント
【図１】
0006350273.tif 000002
【図２】
0006350273.tif 000003
【図３】
0006350273.tif 000004
【図４】
0006350273.tif 000005